(57)【要約】【課題】着用者の膝を内側に向けやすくする。【解決手段】ロングタイプのガードルは、腰部から大腿部の上部までを被覆する本体部１と本体部１の前側の下部に縫着されて連なる大内転筋サポート部２とで大略構成され、本体前部１１にある大腿部脇側部分の一部１１ａの裏側には脇側当て布３が縫着されている。大内転筋サポート部２は大腿部の大内転筋が位置する部位を含むように大腿部の内側から大腿部の前側を通り大腿部の脇側までを覆い、脇側当て布３は大内転筋の大腿骨側に位置する部位付近であって大内転筋サポート部２に隣接する位置において大腿部の脇側を覆う。本体部１および大内転筋サポート部２は伸縮性を有する素材により構成され、脇側当て布３は張りとコシを有する非伸縮性あるいは難伸縮性の素材により構成される。大内転筋サポート部２の緊締力は本体部１の緊締力よりも強い。【選択図】  図６
2004300619.tif 000002
【特許請求の範囲】
【請求項１】
少なくとも腰部から大腿部の上部までを被覆する本体部を備える股付き衣類において、
前記大腿部の大内転筋が位置する部位を覆う伸縮性の大内転筋サポート部と、
前記大腿部の脇側を覆い、前記大内転筋サポート部に一部が隣接する非伸縮性あるいは難伸縮性の脇側当て布部とを備え、
前記大内転筋サポート部は、前記本体部よりも緊締力が強いことを特徴とする股付き衣類。
【請求項２】
前記大内転筋サポート部は、前記大腿部の内側から当該大腿部の前側を通り、当該大腿部の脇側までを覆うとともに、少なくとも前記大内転筋の恥骨側端部の一部から大腿骨側端部の一部までを覆い、
前記大内転筋サポート部の上辺縁において、当該上辺縁の内側端部は、脇側端部よりも上部に位置することを特徴とする請求項１記載の股付き衣類。
【請求項３】
前記大内転筋サポート部の上辺縁は、前記本体部にある股部の側辺縁後端から当該股部の側辺縁を通り、前記大内転筋サポート部の下辺縁の脇側端に向けて下降する形状であることを特徴とする請求項２記載の股付き衣類。
【請求項４】
前記大内転筋サポート部の上辺縁は、前記腰部の脇側方向に向けて凸形状を成すことを特徴とする請求項２または３に記載の股付き衣類。
【請求項５】
前記大内転筋サポート部は、前記大腿部の内側から当該大腿部の前側を通り、当該大腿部の脇側までを帯状に覆うとともに、少なくとも前記大内転筋の恥骨側端部の一部から大腿骨側端部の一部までを覆い、
前記大内転筋サポート部の内側端部は、当該大内転筋サポート部の脇側端部よりも上部に位置することを特徴とする請求項１記載の股付き衣類。
【請求項６】
前記脇側当て布部の下辺縁は、前記大内転筋サポート部の上辺縁部分に位置することを特徴とする請求項１〜５のいずれかに記載の股付き衣類。
【請求項７】
前記脇側当て布部は、前記大内転筋サポート部の脇側に位置することを特徴とする請求項１〜５のいずれかに記載の股付き衣類。
【請求項８】
前記脇側当て布部において、当該脇側当て布部の上端は、前記腰部の脇側上縁部分に位置することを特徴とする請求項１〜７のいずれかに記載の股付き衣類。
【発明の詳細な説明】
【０００１】
【発明の属する技術分野】
本発明は、股付き衣類に関し、特に詳細には、ロングタイプのガードル、パンティストッキング、タイツ、男女スパッツ型の水着、男女スポーツウェア等の脚線矯正用の股付き衣類に適用される。
【０００２】
【従来の技術】
股付き衣類である、例えば、ロングタイプのガードル、パンティストッキング、タイツ、男女スパッツ型の水着、男女スポーツウェア等には、人体の各部位に対応する箇所ごとに伸縮性の異なる布が配置される等して、それぞれの股付き衣類のコンセプトに見合った機能が付加されている。このような股付き衣類としては、例えば、特許文献１には、ガードルが開示されており、このガードルは、股部の内側から外側脇部分までの太腿の後半分にパワーの強い生地を使用することで、太腿の後半部分を押えてすっきりと見せるとともにヒップアップ効果を高めている。また、特許文献２には、パンティストッキングが開示されており、このパンティストッキングは、腹部の膨出抑制効果およびヒップアップ効果を奏するものであり、太腿の上部には、当該太腿を周回するガーターベルトが備えられている。また、特許文献３には、内反内旋膝矯正ストッキングが開示されており、この内反内旋膝矯正ストッキングは、伸縮性の帯を、膝が外反する方向に足部から下腹部まで巻き上げることで、膝変形性関節症の治療、予防、歩容改善を行っている。また、特許文献４には、スポーツ用スパッツが開示されており、このスポーツ用スパッツは、膝上部に設けられた締め付けベルトで筋肉をサポートし、テーピング効果を発揮させることで、筋肉疲労を防止するとともに運動作用をスムーズにしている。また、特許文献５には、スポーツウェアが開示されており、このスポーツウェアは、ウェアの長さ方向に形成された伸縮抑制ライン部を、筋肉や関節の動きを規制してテーピング効果を生じ得る方向に形成することで、スポーツ障害を防止させている。
【０００３】
【特許文献１】
登録実用新案第３０６２２２２号公報
【特許文献２】
特開平９−１１９００３号公報
【特許文献３】
特開平１０−２１１２２５号公報
【特許文献４】
特開平９−１４９９５９号公報
【特許文献５】
特開平９−２４１９０６号公報
【０００４】
【発明が解決しようとする課題】
しかしながら、上述した各特許文献に開示された股付き衣類は、脚部をすっきり見せたり、ヒップアップ効果を高めたり、膝関節症の治療や予防をしたり、脚部の運動能力を高めることを主なコンセプトとしているものであって、いわゆるＯ脚等による膝の開きすぎを矯正するために大腿部を内側に回転させることをコンセプトにしているものではない。したがって、従来の股付き衣類では、着用者の膝を内側に向けやすくすることができず、膝が外側に開いてしまう脚線を矯正することはできない。
【０００５】
そこで本発明は、着用者の膝を内側に向けやすくする脚線矯正用の股付き衣類を提供することを目的とする。
【０００６】
【課題を解決するための手段】
本発明は、少なくとも腰部から大腿部の上部までを被覆する本体部を備える股付き衣類において、大腿部の大内転筋が位置する部位を覆う伸縮性の大内転筋サポート部と、前記大腿部の脇側を覆い、前記大内転筋サポート部に一部が隣接する非伸縮性あるいは難伸縮性の脇側当て布部とを備え、大内転筋サポート部は、本体部よりも緊締力が強いことを特徴とする。
【０００７】
この発明によれば、本発明に係る股付き衣類が着用されると、緊締力の強い大内転筋サポート部は着用者の動きに合わせて伸縮し、非伸縮性あるいは難伸縮性の脇側当て布は大腿部にしっかりと固定されるため、大内転筋サポート部は大腿部に密着した状態で大内転筋に沿って伸縮する。これにより、大内転筋の動きをサポートすることができるので、着用者の膝を無理なく内側に向けることができ、ひいては脚線を矯正できる。
【０００８】
本発明に係る股付き衣類において、大内転筋サポート部は、大腿部の内側から当該大腿部の前側を通り、当該大腿部の脇側までを覆うとともに、少なくとも大内転筋の恥骨側端部の一部から大腿骨側端部の一部までを覆い、大内転筋サポート部の上辺縁において、当該上辺縁の内側端部は、脇側端部よりも上部に位置することが好ましく、また、大内転筋サポート部の上辺縁は、本体部にある股部の側辺縁後端から当該股部の側辺縁を通り、大内転筋サポート部の下辺縁の脇側端に向けて下降する形状であることが好ましい。さらに、大内転筋サポート部の上辺縁は、腰部の脇側方向に向けて凸形状を成すことが好ましい。このようにすれば、大内転筋サポート部が、大内転筋をしっかりと覆うため、大内転筋をサポートする効果が増大する。
【０００９】
本発明に係る股付き衣類において、大内転筋サポート部は、大腿部の内側から当該大腿部の前側を通り、当該大腿部の脇側までを帯状に覆うとともに、少なくとも大内転筋の恥骨側端部の一部から大腿骨側端部の一部までを覆い、大内転筋サポート部の内側端部は、当該大内転筋サポート部の脇側端部よりも上部に位置することが好ましく、このようにすれば、大内転筋サポート部の長手方向を大内転筋の伸縮方向と一致させることができるため、帯状の大内転筋サポート部が大内転筋の動きをしっかりとサポートすることができる。
【００１０】
本発明に係る股付き衣類において、脇側当て布部の下辺縁を、大内転筋サポート部の上辺縁部分に位置させるか、または、脇側当て布部を、大内転筋サポート部の脇側に位置させることが好ましい。このようにすれば、大内転筋サポート部には、大腿部に固定された脇側当て布を支点として大腿部を内側に回そうとする力が効率的にかけられる。
【００１１】
本発明に係る股付き衣類において、脇側当て布部において、当該脇側当て布部の上端は、腰部の脇側上縁部分に位置することが好ましく、このようにすれば、非伸縮性あるいは難伸縮性の脇側当て布部が、大転子近傍から腸棘点後方近傍においてもしっかりと固定されるため、着用者の後傾した骨盤を前方に傾けやすくなり、脚線のみならず姿勢も美しくする効果がある。
【００１２】
【発明の実施の形態】
実施形態の説明に先立ち、図１ないし図３を参照して、本願発明の背景となる美しい脚線（脚線美）について説明する。図１は、大腿部の骨格および筋肉を表した正面図であり、図２（ａ）は、両膝が外に開いた場合における姿勢の正面図であり、図２（ｂ）は、両膝が外に開いた場合における姿勢の右側面図である。図３（ａ）は、大腿部を内側に回転させた場合における姿勢の正面図であり、図３（ｂ）は、大腿部を内側に回転させた場合における姿勢の右側面図である。
【００１３】
本願発明者は、女性が最も改善したいと希望している体の部位の一つに「脚」が挙げられていることに鑑みて、脚線美を実現するための手段を追求することにし、特に、両足を揃えて立ったときに両膝が離れてしまう、いわゆるＯ脚を矯正することに主眼をおいた。その結果、まず、図１（ａ）に示すように、両膝が外に開いているときには、蟹股になるだけではなく、図１（ｂ）に示すように、骨盤も後傾しやすくなり脚線のみならず全体の姿勢までもが悪化することが判明した。次に、図１に示す状態から、図２（ａ）に示す矢印方向に力を加える、すなわち、大腿部を内側に回転させるような力を大腿部に加えると、蟹股が矯正されるとともに、図２（ｂ）に示すように、骨盤の後傾も矯正され、脚線美のみならず姿勢美（美しい姿勢）についても実現され得ることが判明した。ここで、図３を参照して、大腿部に加える力について説明する。図３に示すように、大腿部の大腿骨Ｔの内側、かつ、股関節Ｋおよび恥骨Ｃの下部には、大内転筋Ｎがある。この大内転筋Ｎは、大腿を内転させる（大腿を身体の中軸に近付ける）働きをする筋肉である。したがって、この大内転筋Ｎに対して、大内転筋Ｎの大腿骨側端部Ｎ１から大内転筋Ｎの恥骨側端部Ｎ２に向かう方向（図３に示す矢印方向）に力ＰＮを加えることで、両膝の間隔が狭まり蟹股およびＯ脚が矯正されることになるとともに、骨盤の後傾も矯正され得ることになる。
【００１４】
そこで、本願発明者は、大内転筋の動きをサポートする構造を採用すれば、大内転筋が作用している状態が維持され、美しい脚線が保ちやすくなり、さらには、美しい姿勢も保ちやすくなるのではないかとの知見を得て、本発明を完成した。
【００１５】
以下、本発明の実施形態を図面に基づき説明する。なお、同一要素には同一符号を付し、重複する説明を省略する。
【００１６】
図４〜図７を参照して、本実施形態におけるロングタイプのガードル（股付き衣類）について説明する。図４は、ロングタイプのガードルの正面平面図であり、図５は、ロングタイプのガードルの背面平面図であり、図６は、ロングタイプのガードルを右前側から斜視した状態の平面図であり、図７は、図６に示すロングタイプのガードルの右脚を上に折り返した状態の平面図である。
【００１７】
図示のように、ロングタイプのガードルは、腰部から大腿部の上部までを被覆する本体部１と、本体部１の前側の下部に縫着されて連なる大内転筋サポート部２と、本体部１にある大腿部脇側部分の一部１１ａの裏側に縫着される脇側当て布３とで大略構成される。本体部１は、腰部の前側から大腿部の脇側までを覆う本体前部１１と、腰部の脇側から臀部および大腿部の後側までを覆う本体後部１２と、股間部分を覆う股部１３とを主要パーツとして構成されている。
【００１８】
本体部１および大内転筋サポート部２は、伸縮性を有する素材により構成されており、このような素材としては、例えば、パワーネット、サテンネット、トリコネット、ツーウェイトリコットあるいはツーウェイラッセルがある。
【００１９】
また、脇側当て布３は、張りとコシを有する非伸縮性あるいは難伸縮性の素材により構成されており、このような素材としては、例えば、ワンウェイ素材、マーキジット、あるいはトリコットがある。
【００２０】
図４〜図７に示すロングタイプのガードルの特徴は、大内転筋サポート部２と脇側当て布３とを含んで構成されている点である。以下において、大内転筋サポート部２および脇側当て布３のロングタイプのガードルに占める位置および形状について説明する。
【００２１】
図示のように、大内転筋サポート部２は、大腿部の大内転筋が位置する部位を含むように、大腿部の内側から大腿部の前側を通り大腿部の脇側までを覆い、内側縁部、上辺縁部、下辺縁部に囲まれた形状を成している。大内転筋サポート部２の内側縁部は、本体後部１２の大腿部内側縁部分に形成され（図５，図７参照）、この内側縁部の上端２ａは、股部１３の側辺縁の後端に位置し、内側縁部の下端２ｂは、裾部１４の上辺縁に位置する。大内転筋サポート部２の下辺縁部は、裾部１４の上辺縁部分に形成され（図５，図７参照）、この下辺縁部の内側端２ｂは、上記内側縁部の下端２ｂと同位置であり、下辺縁部の脇側端２ｃは、裾部１４の上辺縁に位置する（図６参照）。大内転筋サポート部２の上辺縁部は、本体前部１１の下辺縁部分に形成され（図６，図７参照）、この上辺縁部の内側端２ａは、上記内側縁部の上端２ａと同位置であり、上辺縁部の脇側端２ｃは、上記下辺縁部の脇側端２ｃと同位置である。大内転筋サポート部２の上辺縁部は、この上辺縁部の内側端２ａが脇側端２ｃよりも上部に位置している。大内転筋サポート部２の上辺縁部は、この上辺縁部の内側端２ａから股部１３の側辺縁を通り、上辺縁の脇側端２ｃに向けて曲線状に下降する。この曲線は、腰部の脇側方向に向けて凸形状を成している。なお、上辺縁部の形状は、曲線に限らず、直線であってもよいし、直線および曲線の組み合わせであってもよい。すなわち、大内転筋サポート部２が、大内転筋をサポートし得る形状であればよい。
【００２２】
本体部１と大内転筋サポート部２は、上述したように同様の素材により構成されるが、生地の緊締力は、大内転筋サポート部２の方が強い点に本発明の特徴がある。ここで、本願発明者は、本体部１および大内転筋サポート部２の緊締力を測定するために、伸長回復性試験（３０％伸長時）を行った。その結果、本実施形態における本体部１と大内転筋サポート部２との伸長回復性の応力比は、１：１．５〜３．５の範囲にあることが好ましく、より好ましくは１：２．５となる場合であることが判明した。また、大内転筋サポート部２は、緊締力を最も発揮し得る伸縮方向が大内転筋の動く方向（図４に示す矢印方向Ｙ）に合致するように、本体部１に縫着される。これにより、大内転筋サポート部２の伸縮により生じた力が、大内転筋の動きを効率的にサポートすることになる。
【００２３】
図６に示すように、脇側当て布３は、大内転筋の大腿骨側に位置する部位付近であって大内転筋サポート部２に隣接する位置において、大腿部の脇側を覆うように形成されている。脇側当て布３は、本体後側縁部、本体前側下辺縁部、上辺部、下辺部に囲まれた形状を成している。脇側当て布３の本体後側縁部は、本体前部１１と本体後部１２との接ぎ部分に形成され、脇側当て布３の本体前側下辺縁部は、本体前部１１と大内転筋サポート部２との接ぎ部分に形成される。また、脇側当て布３の上辺部および下辺部は、本体前部１１にある大腿部脇側部分の一部１１ａの上辺縁および下辺縁にそれぞれ形成される。
【００２４】
なお、脇側当て布３は、少なくとも３ｃｍ（上辺部、下辺部）×５ｃｍ（本体後側縁部、本体前側下辺縁部）位の大きさであることが好ましい。また、脇側当て布３の形状は、四角形である必要はなく、例えば、円形であってもよい。脇側当て布３の形状が円形である場合には、少なくとも直径３ｃｍ位の円形であることが好ましい。
【００２５】
本実施形態におけるロングタイプのガードルは、このような大内転筋サポート部２と脇側当て布３とを備えることにより、以下に記載する効果を有する。まず、ロングタイプのガードルを着用すると、緊締力の強い大内転筋サポート部２が伸長し、さらに着用者の動きに応じて伸縮する。なお、この大内転筋サポート部２は、図８に示す矢印方向Ｙに沿って伸縮するように縫着されている。
【００２６】
一方、脇側当て布３は、伸縮性の少ない生地であるため、ロングタイプのガードルが着用されても、ほとんど伸長しない。したがって、着用時において、脇側当て布３は大腿部にしっかりと固定され、大内転筋サポート部２は大腿部に密着した状態で大内転筋に沿って（図８に示す矢印方向Ｙに沿って）伸縮する。すなわち、大腿部に密着している大内転筋サポート部２には、大腿部に固定された脇側当て布３を支点として大腿部を内側に回そうとする力が効率良くかかる。これにより、大内転筋サポート部２は、大内転筋をサポートする役目を果たすことになる。すなわち、大腿部を内側に回転させようとする力が大腿部に加えられることにより、蟹股が矯正されるとともに、骨盤の後傾も矯正され、脚線美および姿勢美が実現され得る。
【００２７】
次に、図９および図１０を参照して、本実施形態における変形例であるロングタイプのガードル（股付き衣類）について説明する。図９は、ロングタイプのガードルを着用した状態において左斜め前から見た斜視図であり、図１０は、ロングタイプのガードルを着用した状態において左斜め後から見た斜視図である。
【００２８】
図９および図１０に示すように、ロングタイプのガードルは、腰部から大腿部の上部までを被覆する本体部１Ａと、本体部１Ａの裾部１４の裏側に縫着される大内転筋サポート部２Ａと、本体部１Ａの脇側の裏側に縫着される脇側当て布３Ａとで大略構成される。
【００２９】
図９および図１０に示すロングタイプのガードルの特徴は、大内転筋サポート部２Ａと脇側当て布３Ａとを含んで構成されている点で、上述したロングタイプのガードルと同様の特徴を有する。しかしながら、脇側当て布３Ａの位置および形状については、上述したロングタイプのガードルとは相違するため、以下において、変形例であるロングタイプのガードルに特有の特徴について説明する。
【００３０】
図９および図１０に示すように、脇側当て布３Ａは、くびれを有する帯状に形成されており、本体部１Ａの脇側部分を縦方向に覆っている。この脇側当て布３Ａの上端は、腰部の脇側上縁部分に位置し、脇側当て布３Ａの下端は、裾部１４の中間ライン部分に位置する。また、脇側当て布３Ａの下端部分の前側端部２ｃは、大内転筋サポート部２Ａの脇側端部２ｃに位置する。すなわち、脇側当て布３Ａは、大内転筋サポート部２Ａの脇側に位置する。
【００３１】
本変形例におけるロングタイプのガードルは、このような脇側当て布３Ａと大内転筋サポート部２Ａとを備えることにより、以下に記載する効果を有する。まず、ロングタイプのガードルを着用すると、緊締力の強い大内転筋サポート部２Ａの生地が伸長し、さらに着用者の動きに応じて伸縮する。なお、この大内転筋サポート部２Ａは、図９に示す矢印方向Ｙに沿って伸縮するように縫着されている。
【００３２】
一方、脇側当て布３Ａは、伸縮性の少ない生地であるため、ロングタイプのガードルが着用されても、ほとんど伸長しない。したがって、着用時において、脇側当て布３Ａは大腿部にしっかりと固定され、大内転筋サポート部２Ａは大腿部に密着した状態で大内転筋に沿って伸縮する。すなわち、大腿部に密着している大内転筋サポート部２Ａには、大腿部に固定された脇側当て布３Ａを支点として大腿部を内側に回そうとする力が効率良くかかる。これにより、大内転筋サポート部２Ａは、大内転筋をサポートする役目を果たすことになる。
【００３３】
また、本変形例における脇側当て布３Ａは、本体部１Ａの脇側部分を縦方向に長く覆っているため、非伸縮性あるいは難伸縮性の脇側当て布部３Ａが、腰部の脇側においてもしっかりと固定されることになり、腰の筋肉が脇側からしっかりと締め付けられ、骨盤が直立しやすくなる。これにより、着用者の骨盤の後傾を矯正する効果がより高められる。
【００３４】
次に、図１１および図１２を参照して、本実施形態における変形例であるパンティストッキング（股付き衣類）について説明する。図１１は、パンティストッキングを着用した状態において左斜め前から見た斜視図であり、図１２は、パンティストッキングを着用した状態において左斜め後から見た斜視図である。
【００３５】
図１１および図１２に示すように、パンティストッキングは、腰部から足先までを被覆する本体部１Ｂと、本体部１Ｂに編み立てられた大内転筋サポート部２Ｂおよび脇側当て布３Ｂとで大略構成される。
【００３６】
図１１および図１２に示すパンティストッキングの特徴は、大内転筋サポート部２Ｂと脇側当て布３Ｂとを含んで構成されている点で、上述したロングタイプのガードルと同様の特徴を有する。しかしながら、大内転筋サポート部２Ｂおよび脇側当て布３Ｂの位置および形状については、上述したロングタイプのガードルとは相違するため、以下において、変形例であるパンティストッキングに特有の特徴について説明する。
【００３７】
図１１および図１２に示すように、大内転筋サポート部２Ｂは、大腿部の大内転筋が位置する部位を含むように、大腿部の内側から大腿部の前側を通り大腿部の裏側までを帯状に覆うように形成されている。大内転筋サポート部２Ｂの内側端部は、大内転筋サポート部２Ｂの裏側端部よりも上部に位置する。すなわち、大内転筋サポート部２Ｂは、大内転筋サポート部２Ｂの内側端部を上端とし、大内転筋サポート部２Ｂの裏側端部を下端とするらせん状に形成されている。これにより、大内転筋サポート部２Ｂの長手方向を大内転筋の伸縮方向と一致させることができるため、帯状の大内転筋サポート部２Ｂが大内転筋の動きをしっかりとサポートすることができるようになる。
【００３８】
なお、大内転筋サポート部２Ｂは、必ずしも大腿部の裏側まで覆う必要はなく、例えば、大腿部の脇側付近までを覆うこととしてもよい。すなわち、大内転筋サポート部２Ｂが、少なくとも大内転筋を覆うことにより大内転筋の動きをサポートすることができればよい。ただし、帯状の大内転筋サポート部２Ｂにより覆われる範囲が大きい（長い）ほうが、大内転筋に作用する力をより増大させることが可能となる。
【００３９】
脇側当て布３Ｂは、大内転筋の大腿骨側に位置する部位付近であって大内転筋サポート部２Ｂに隣接する位置において、大腿部の脇側を覆うように形成されている。脇側当て布３Ｂは、大内転筋サポート部２Ｂの上辺縁部分の一部を下辺縁とし、この下辺縁を底辺とした三角形の形状を成している。
【００４０】
本変形例におけるパンティストッキングは、このような大内転筋サポート部２Ｂと脇側当て布３Ｂとを備えることにより、以下に記載する効果を有する。まず、パンティストッキングを着用すると、緊締力の強い大内転筋サポート部２Ｂの生地が伸長し、さらに着用者の動きに応じて伸縮する。なお、この大内転筋サポート部２Ｂは、図１１に示す矢印方向Ｙに沿って伸縮するように縫着されている。
【００４１】
一方、脇側当て布３Ｂは、伸縮性の少ない生地であるため、パンティストッキングが着用されても、ほとんど伸長しない。したがって、着用時において、脇側当て布３Ｂは大腿部にしっかりと固定され、大内転筋サポート部２Ｂは大腿部に密着した状態で大内転筋に沿って伸縮する。すなわち、大腿部に密着している大内転筋サポート部２Ｂには、大腿部に固定された脇側当て布３Ｂを支点として大腿部を内側に回そうとする力が効率良くかかる。これにより、大内転筋サポート部２Ｂは、大内転筋をサポートする役目を果たすことになる。
【００４２】
また、本変形例における大内転筋サポート部２Ｂは、本体部１Ｂの大腿部の裏側までをらせん状に覆っているため、大腿部を内側に回す力がより効率的に大内転筋サポート部２Ｂにかかるようになる。
【００４３】
次に、図１３および図１４を参照して、本実施形態における変形例であるパンティストッキング（股付き衣類）について説明する。図１３は、パンティストッキングを着用した状態において左斜め前から見た斜視図であり、図１４は、パンティストッキングを着用した状態において左斜め後から見た斜視図である。
【００４４】
図１３および図１４に示すように、パンティストッキングは、腰部から足先までを被覆する本体部１Ｃと、本体部１Ｃに編み立てられた大内転筋サポート部２Ｃおよび脇側当て布３Ｃとで大略構成される。
【００４５】
図１３および図１４に示すパンティストッキングの特徴は、大内転筋サポート部２Ｃと脇側当て布３Ｃとを含んで構成されている点で、上述したロングタイプのガードルと同様の特徴を有する。しかしながら、大内転筋サポート部２Ｃおよび脇側当て布３Ｃの位置および形状については、上述したロングタイプのガードルとは相違するため、以下において、変形例であるパンティストッキングに特有の特徴について説明する。
【００４６】
図１３および図１４に示すように、大内転筋サポート部２Ｃは、大腿部の大内転筋が位置する部位を含むように、大腿部の内側から大腿部の前側を通り大腿部の裏側までを帯状に覆うように形成されている。大内転筋サポート部２Ｃの内側端部は、大内転筋サポート部２Ｃの裏側端部よりも上部に位置する。すなわち、大内転筋サポート部２Ｃは、大内転筋サポート部２Ｃの内側端部を上端とし、大内転筋サポート部２Ｃの裏側端部を下端とするらせん状に形成されているこれにより、大内転筋サポート部２Ｃの長手方向を大内転筋の伸縮方向と一致させることができるため、帯状の大内転筋サポート部２Ｃが大内転筋の動きをしっかりとサポートすることができるようになる。
【００４７】
脇側当て布３Ｃは、くびれを有する帯状に形成されており、本体部１Ｃの脇側部分を縦方向に覆っている。この脇側当て布３Ｃの上端は、腰部の脇側上縁部分に位置し、脇側当て布３Ｃの下端は、大内転筋サポート部２Ｃの下辺縁ラインと同じライン上に位置する。
【００４８】
なお、大内転筋サポート部２Ｃは、必ずしも大腿部の裏側まで覆う必要はなく、例えば、大腿部の脇側付近（脇側当て布３Ｃよりも前側の部分）までを覆うこととしてもよい。すなわち、大内転筋サポート部２Ｃが、少なくとも大内転筋を覆うことにより大内転筋の動きをサポートすることができればよい。ただし、帯状の大内転筋サポート部２Ｃにより覆われる範囲が大きい（長い）ほうが、大内転筋に作用する力をより増大させることが可能となる。また、大内転筋サポート部２Ｃが、脇側当て布３Ｃよりも前側の部分を覆うこととした場合には、脇側当て布３Ｃの前側縁の下端部分を、大内転筋サポート部２Ｃの脇側縁部分に位置する（脇側当て布３Ｃが、大内転筋サポート部２Ｃの脇側に位置する）ことが好ましい。これにより、大内転筋サポート部２Ｃには、大腿部に固定された脇側当て布３Ｃを支点として大腿部を内側に回そうとする力が効率的にかけられることになる。
【００４９】
本変形例におけるパンティストッキングは、このような大内転筋サポート部２Ｃと脇側当て布３Ｃとを備えることにより、以下に記載する効果を有する。まず、パンティストッキングを着用すると、緊締力の強い大内転筋サポート部２Ｃの生地が伸長し、さらに着用者の動きに応じて伸縮する。なお、この大内転筋サポート部２Ｃは、図１３に示す矢印方向Ｙに沿って伸縮するように縫着されている。
【００５０】
一方、脇側当て布３Ｃは、伸縮性の少ない生地であるため、パンティストッキングが着用されても、ほとんど伸長しない。したがって、着用時において、脇側当て布３Ｃは大腿部にしっかりと固定され、大内転筋サポート部２Ｃは大腿部に密着した状態で大内転筋に沿って伸縮する。すなわち、大腿部に密着している大内転筋サポート部２Ｃには、大腿部に固定された脇側当て布３Ｃを支点として大腿部を内側に回そうとする力が効率良くかかる。これにより、大内転筋サポート部２Ｃは、大内転筋をサポートする役目を果たすことになる。
【００５１】
また、本変形例における大内転筋サポート部２Ｃは、本体部１Ｃの大腿部の裏側までをらせん状に覆っているため、大腿部を内側に回す力がより効率的に大内転筋サポート部２Ｃにかかるようになる。
【００５２】
さらに、本変形例における脇側当て布３Ｃは、本体部１Ｃの脇側部分を縦方向に長く覆っているため、非伸縮性あるいは難伸縮性の脇側当て布部３Ｃが、腰部の脇側においてもしっかりと固定されることになり、腰の筋肉が脇側からしっかりと締め付けられ、骨盤が直立しやすくなる。これにより、着用者の骨盤の後傾を矯正する効果がより高められる。
【００５３】
なお、図１１〜図１４に示す変形例は、パンティストッキングに限られず、例えば、腰部から足首までを被覆するタイツ等にも適用可能である。
【００５４】
また、上述した各大内転筋サポート部２，２Ａ，２Ｂ，２Ｃは、必ずしも大内転筋の全てを覆う必要はなく、少なくとも大内転筋の恥骨側端部の一部から大腿骨側端部の一部までを覆っていればよい。大内転筋の伸縮方向は、大内転筋の恥骨側端部と大腿骨側端部とを結ぶ筋方向であるため、この伸縮方向に沿って大内転筋の一部を覆うことで、大内転筋の動きをサポートすることができる。
【００５５】
次に、試作品のロングタイプのガードルをモニターに試着してもらい、自然に立ったときの膝の間隔（膝の開き具合）を測定したところ、ヌード状態で測定した膝の間隔よりも狭くなった人が、１１名中８名に及んだ。測定値を用いて具体的に説明すると、１１名の測定値の平均値は、ヌード状態が、１６．０ｃｍであったのに対し、着用状態では、１４．４ｃｍであった。これにより、試作品のロングタイプのガードルを着用することにより、膝の間隔が狭くなることが裏付けられた。また、試作品のロングタイプのガードルを着用して座ったときの膝の閉じやすさについては、１１名中８名が、「ヌード状態よりも膝を閉じやすい」と答えた。さらに、試作品のロングタイプのガードルを着用したときの姿勢への影響については、特に上体が後傾していると判断された３名のうちの２名が、「膝を閉じるように働きかけるだけで上体が起き、背筋が伸びる」と答えた。これらの結果を踏まえることにより、本実施形態におけるロングタイプのガードルには、脚線および姿勢を整える効果があることがわかる。
【００５６】
最後に、本発明は、ロングタイプのガードル等に代表される股付き衣類の大内転筋サポート部２を大腿部に密着させて、脇側当て布３を大腿部にしっかりと固定させることにより、大内転筋の動きをサポートするという点を基本構成としている。これにより、膝が内側に向きやすくなり、膝が自然に外側に開いてしまう事態を防止することができ、脚を美しく見せることが可能となる。したがって、かかる構成であれば、上記の実施形態や変形例に限らず、種々の態様が可能である。例えば、大内転筋サポート部の形状や脇側当て布の形状は、上述した実施形態および変形例における形状に限らず、他の形状であってもよい。
【００５７】
【発明の効果】
本発明に係る股付き衣類によれば、大内転筋の動きをサポートすることができるので、着用者の膝が内側に向きやすくなり、ひいては、脚を美しくみせるという、優れた効果が期待できる。
【図面の簡単な説明】
【図１】大腿部の骨格および筋肉を表した正面図である。
【図２】（ａ）は、両膝が外に開いた場合における姿勢の正面図であり、（ｂ）は、両膝が外に開いた場合における姿勢の右側面図である。
【図３】（ａ）は、大腿部を内側に回転させた場合における姿勢の正面図であり、（ｂ）は、大腿部を内側に回転させた場合における姿勢の右側面図。
【図４】実施形態におけるロングタイプのガードルの正面平面図である。
【図５】実施形態におけるロングタイプのガードルの背面平面図である。
【図６】実施形態におけるロングタイプのガードルを右前側から斜視した状態の平面図である。
【図７】実施形態におけるロングタイプのガードルの右脚を上に折り返した状態の平面図である。
【図８】実施形態におけるロングタイプのガードルを着用した状態で斜め前方から見た斜視図である。
【図９】変形例におけるロングタイプのガードルを着用した状態において左斜め前から見た斜視図である。
【図１０】変形例におけるロングタイプのガードルを着用した状態において左斜め後から見た斜視図である。
【図１１】変形例におけるパンティストッキングを着用した状態において左斜め前から見た斜視図である。
【図１２】変形例におけるパンティストッキングを着用した状態において左斜め後から見た斜視図である。
【図１３】変形例におけるパンティストッキングを着用した状態において左斜め前から見た斜視図である。
【図１４】変形例におけるパンティストッキングを着用した状態において左斜め後から見た斜視図である。
【符号の説明】
１，１Ａ，１Ｂ，１Ｃ・・・本体部、２，２Ａ，２Ｂ，２Ｃ・・・大内転筋サポート部、３，３Ａ，３Ｂ，３ｃ・・・脇側当て布、１１・・・本体前部、１２・・・本体後部、１３・・・股部、１４・・・裾部、Ｎ・・・大内転筋、Ｔ・・・大腿骨、Ｋ・・・股関節、Ｃ・・・恥骨。
【図１】
2004300619.tif 000003
【図２】
2004300619.tif 000004
【図３】
2004300619.tif 000005
【図４】
2004300619.tif 000006
【図５】
2004300619.tif 000007
【図６】
2004300619.tif 000008
【図７】
2004300619.tif 000009
【図８】
2004300619.tif 000010
【図９】
2004300619.tif 000011
【図１０】
2004300619.tif 000012
【図１１】
2004300619.tif 000013
【図１２】
2004300619.tif 000014
【図１３】
2004300619.tif 000015
【図１４】
2004300619.tif 000016